(57)【要約】【課題】光送信デバイスの電源電圧またはコントローラの電源電圧、あるいはその双方の電源電圧が変動しても、高精度な光信号の伝送が行える発光ダイオード駆動回路を実現する。【解決手段】本発明に係る発光ダイオード駆動回路３は、外部のコントローラＩＣ１０から与えられた電気信号を入力スレッシュ電圧に基づいてハイとローの２レベルからなる電気信号に変換する入力バッファ部４を備えている。該入力バッファ部４の電源電圧は、コントローラＩＣ１０の電源電圧と共通である。【選択図】図１
2008011089.tif 000002
【特許請求の範囲】
【請求項１】
電気信号を光信号に変換し、該光信号を光ファイバケーブルを介して伝送する光ファイバリンクの光送信デバイスに備えられる発光ダイオード駆動回路であって、
外部のコントローラから与えられる上記電気信号を入力スレッシュ電圧に基づいてハイとローとの２レベルからなる電気信号に変換する入力バッファ部と、
上記入力バッファ部の出力信号により発光ダイオードを駆動し、上記光信号を生成する駆動回路部とを備え、
上記入力バッファ部の電源電圧は、上記コントローラの電源電圧と共通であることを特徴とする発光ダイオード駆動回路。
【請求項２】
上記コントローラの電源電圧を上記入力バッファ部に供給するための電源端子をさらに備えることを特徴とする請求項１記載の発光ダイオード駆動回路。
【請求項３】
請求項１または２に記載の発光ダイオード駆動回路をモノリシック集積回路で構成することを特徴とする発光ダイオード駆動回路。
【請求項４】
請求項１〜３のいずれか１項に記載の発光ダイオード駆動回路を備えた光送信デバイス。
【請求項５】
請求項４記載の光送信デバイスを備えた光伝送装置。
【発明の詳細な説明】
【技術分野】
【０００１】
本発明は、電気信号を光信号に変換して伝送する光ファイバリンクに好適に用いられる発光ダイオード駆動回路、それを備えた光送信デバイス、並びに光伝送装置に関するものである。
【背景技術】
【０００２】
光ファイバリンクは、送信側で電気信号を光信号に変換して光ファイバにより受信側に伝送し、該受信側では受信した上記光信号を電気信号に再変換することで、音声信号や映像信号等の信号を手軽に高速伝送できる。この光ファイバリンクは、デジタル機器の普及に伴って、近年、一般家庭でも広く普及している。
【０００３】
また、近年、自動車へのデジタル機器の搭載が増え、車載デジタル機器間の制御信号、デジタル信号の伝送に光ファイバリンクが採用されている。その理由としては、従来は、車載デジタル機器間の各種信号の伝送をメタルケーブルで行っていたが、上述のような車載デジタル機器の増加に伴い車両の重量が増加し、燃費の低下を招いてしまうことから、軽量化を目的として、比較的軽量なプラスチックファイバが採用されているためである。
【０００４】
車載デジタル機器は、伝送する信号が従来の音声のみならず、映像といった大量の情報を伝送する用途への採用が広がり、これに伴い光ファイバリンクには、ますます高速化が求められている。このため、伝送する光信号の精度向上が求められている。
【０００５】
また、車載デジタル機器は、その使用環境が民生用機器よりも厳しい。特に、電源電圧に関しては、車載電装機器の動作の影響を受け、大きな変動がある。このため、光ファイバリンクには、電源電圧の変動にも耐えうる光信号の伝送も求められている。
【０００６】
図３は、従来の光ファイバリンク用光送信デバイス１０１（以下、単に、光送信デバイス１０１と記載）の構成例、および該光送信デバイス１０１と、光送信デバイス１０１へ電気信号を供給するコントローラＩＣ１１０との接続例を示している。
【０００７】
光送信デバイス１０１は、発光ダイオード１０２と、該発光ダイオード１０２を駆動する発光ダイオード駆動回路１０３とを備えている。コントローラＩＣ１１０の電源電圧は、低消費電力化のために、３Ｖ化されつつある（ここでは、３Ｖとする）。コントローラＩＣ１１０の出力回路は、略ＭＯＳトランジスタで構成されたゲート出力回路となっているため、コントローラＩＣ１１０の出力信号（上記電気信号）の振幅は、０Ｖから３Ｖとなる。
【０００８】
発光ダイオード駆動回路１０３は、コントローラＩＣ１１０により与えられた電気信号を入力スレッシュ電圧に基づいてハイとローとの２レベルからなる電気信号に変換する（コントローラＩＣ１１０により与えられた電気信号の波形整形を行う）入力バッファ部１０４と、該入力バッファ部１０４の出力信号（上記２レベルの電気信号）に基づいて発光ダイオード１０２を駆動する駆動回路部１０５とを備えている。
【０００９】
コントローラＩＣ１１０から光送信デバイス１０１に入力された電気信号は、発光ダイオード駆動回路１０３における入力バッファ部１０４で波形整形され、その後駆動回路部１０５に入力され、発光ダイオード１０２を駆動することとなる。このような光送信デバイスおよび発光ダイオード駆動回路については、例えば特許文献１および２に記載されている。
【００１０】
図４は、入力バッファ部１０４の具体的な構成例を示している。
【００１１】
入力バッファ部１０４は、図示のように、ゲート回路の機能を有する、Ｐチャンネル型ＭＯＳトランジスタＱＰ１（以下、単に、ＰＭＯＳトランジスタＱＰ１と記載）とＮチャンネル型ＭＯＳトランジスＱＮ１（以下、単に、ＮＭＯＳトランジスＱＮ１と記載）とから構成されるインバータ１０６を有している。
【００１２】
ＰＭＯＳトランジスタＱＰ１のソースは電源端子に接続され、ＮＭＯＳトランジスタＱＮ１のソースはＧＮＤ端子に接続されている。ＰＭＯＳトランジスタＱＰ１およびＮＭＯＳトランジスタＱＮ１の各ゲートは互いに接続され、共通に光送信デバイス１０１の入力端子Ｖｉｎに接続されている。また、ＰＭＯＳトランジスタＱＰ１およびＮＭＯＳトランジスタＱＮ１の各ドレインは互いに接続され、共通に駆動回路部１０５へと接続されている。
【００１３】
入力スレッシュ電圧は、ＰＭＯＳトランジスタＱＰ１およびＮＭＯＳトランジスタＱＮ１のゲート幅の比を変えて調整される。ＮＭＯＳトランジスタＱＮ１のゲート幅を相対的に大きくすると入力スレッシュ電圧は低下し、小さくすると入力スレッシュ電圧は高くなる。ここでは、ＰＭＯＳトランジスタＱＰ１のゲート幅をＬ／Ｗ＝０．８μｍ／１０μｍ、ＮＭＯＳトランジスタＱＮ１のゲート幅をＬ／Ｗ＝０．８μｍ／３６μｍとし、電源電圧Ｖｃｃが５Ｖで、入力スレッシュ電圧が１．５Ｖになる様に構成している。
【特許文献１】特開２０００−４２０２号公報（２０００年１月７日公開）
【特許文献２】特開２００６−１３１６６号公報（２００６年１月１２日公開）
【発明の開示】
【発明が解決しようとする課題】
【００１４】
ところで、コントローラＩＣ１１０の電源電圧が変動すると、当然コントローラＩＣ１１０から送られる電気信号の振幅電圧が変動するため、入力バッファ部１０４の入力スレッシュ電圧値が不適切な値となり、この結果、入力バッファ部１０４の出力信号にパルス幅歪が発生してしまう。この現象について、図５を用いて詳細に説明する。
【００１５】
図５は、コントローラＩＣ１１０から供給される電気信号と入力スレッシュ電圧との関係を示しており、図５（ａ）は、コントローラＩＣ１１０の電源電圧が変動していない場合を、図５（ｂ）は、コントローラＩＣ１１０の電源電圧が変動した場合をそれぞれ示している。なお、図５（ｂ）は、コントローラＩＣ１１０の電源電圧が３Ｖから２．７５Ｖに変化した場合を一例として示している。
【００１６】
図５（ａ）のように、コントローラＩＣ１１０の電源電圧が変動していない場合は、電気信号の振幅電圧の５０％の電圧値（１．５Ｖ）と入力スレッシュ電圧（１．５Ｖ）とが一致しているため、入力バッファ部１０４の出力信号にパルス幅歪は発生しない。一方、図５（ｂ）のように、コントローラＩＣ１１０の電源電圧が変動した場合は、電気信号の振幅電圧の５０％の電圧値（約１．３８Ｖ）と入力スレッシュ電圧（１．５Ｖ）とが一致しないため、図示のようなパルス幅歪が入力バッファ部１０４の出力信号に発生する。
【００１７】
以上のように、コントローラＩＣ１１０の電源電圧が変動すると、入力バッファ部１０４の出力信号にパルス幅歪が発生してしまう。駆動回路部１０５は、入力バッファ部１０４の出力信号に基づいて発光ダイオード１０２を駆動するため、入力バッファ部１０４の出力信号に劣化が生じると、光信号に劣化が生じ、高精度な光信号の伝送が行えないという問題を生じる。
【００１８】
また、コントローラＩＣ１１０の電源電圧が正常であるいは変動している場合で、光送信デバイス１０１の電源電圧Ｖｃｃが変動する場合もある。入力バッファ部１０４の入力スレッシュ電圧は、上述のように、インバータ１０６を構成するＰＭＯＳトランジスタＱＰ１およびＮＭＯＳトランジスタＱＮ１のゲート幅の比を調整して設定しているため、電源電圧Ｖｃｃが変動すると、その変動比に比例して変動してしまう。この場合、入力バッファ部１０４の出力信号にパルス幅歪が発生してしまう。この現象について、表１および図６を用いて詳細に説明する。
【００１９】
表１は、電源電圧Ｖｃｃの変動による入力スレッシュ電圧の変動を示している。表１に示すように、電源電圧Ｖｃｃが５Ｖの場合を基準として±５％変動すると入力スレッシュ電圧も±５％変動する。
【００２０】
【表１】
2008011089.tif 000003
【００２１】
図６は、光送信デバイス１０１の入力信号波形（コントローラ１１０から供給される電気信号）と入力スレッシュ電圧との関係を示している。なお、図６（ａ）は、電源電圧Ｖｃｃが５．００Ｖの場合を、図６（ｂ）は、電源電圧Ｖｃｃが５．２５Ｖの場合を、図６（ｃ）は、電源電圧Ｖｃｃが４．７５Ｖの場合をそれぞれ示している。
【００２２】
図６（ａ）においては、入力信号の振幅電圧の５０％の電圧値（入力信号のパルス幅を規定する電圧値）（１．５Ｖ）と入力スレッシュ電圧（１．５Ｖ）とが一致しており、入力バッファ回路１０４の出力信号にパルス幅歪が発生しない。
【００２３】
図６（ｂ）においては、電源電圧Ｖｃｃが５．２５Ｖへ変動したため、表１に示すように、入力スレッシュ電圧が１．５７５Ｖとなる。入力信号の振幅電圧の５０％の電圧値は１．５Ｖであるため、入力スレッシュ電圧との齟齬が発生する。このため、入力バッファ回路１０４の出力信号にパルス幅歪が発生する。図６（ｃ）においては、電源電圧Ｖｃｃが４．７５Ｖへ変動したため、表１に示すように、入力スレッシュ電圧が１．４２５Ｖとなる。入力信号の振幅電圧の５０％の電圧値は１．５Ｖであるため、入力スレッシュ電圧との齟齬が発生する。このため、入力バッファ回路１０４の出力信号にパルス幅歪が発生する。
【００２４】
以上のように、従来の入力バッファ回路１０４では、コントローラＩＣ１１０の電源電圧または光送信デバイス１０１の電源電圧Ｖｃｃ、あるいはその双方の電源電圧の変動によって、出力信号にパルス幅歪が発生していた。上述のように、駆動回路１０５は、入力バッファ回路１０４の出力信号に基づいて発光ダイオード１０２を駆動する。このため、高精度な光信号の伝送が行えないという問題を生じていた。
【００２５】
本発明は、上記の問題点に鑑みてなされたものであり、その目的は、光送信デバイスの電源電圧またはコントローラの電源電圧、あるいはその双方の電源電圧が変動した場合でも、高精度な光信号の伝送が行える発光ダイオード駆動回路、それを備えた光送信デバイス、並びに光伝送装置を実現することにある。
【課題を解決するための手段】
【００２６】
本発明に係る発光ダイオード駆動回路は、上記課題を解決するために、電気信号を光信号に変換し、該光信号を光ファイバケーブルを介して伝送する光ファイバリンクの光送信デバイスに備えられる発光ダイオード駆動回路であって、外部のコントローラから与えられる上記電気信号を入力スレッシュ電圧に基づいてハイとローとの２レベルからなる電気信号に変換する入力バッファ部と、上記入力バッファ部の出力信号により発光ダイオードを駆動し、上記光信号を生成する駆動回路部とを備え、上記入力バッファ部の電源電圧は、上記コントローラの電源電圧と共通であることを特徴としている。
【００２７】
上記の構成によれば、本発明に係る発光ダイオード駆動回路の入力バッファ部の電源電圧は、コントローラの電源電圧と共通である。これにより、上記コントローラから与えられる電気信号のパルス幅を規定する電圧値と、上記入力バッファ部の入力スレッシュ電圧値とが常に一致し、上記入力バッファ部の出力信号にパルス幅歪が生じない。駆動回路部は、パルス幅歪が生じない、上記入力バッファ部の出力信号に基づいて光信号を生成する。これにより、光送信デバイスの電源電圧またはコントローラの電源電圧、あるいはその双方の電源電圧が変動した場合でも、高精度な光信号の伝送が行える発光ダイオード駆動回路を実現できるという効果を奏する。
【００２８】
本発明に係る発光ダイオード駆動回路は、上記コントローラの電源電圧を上記入力バッファ部に供給するための電源端子をさらに備えることが好ましい。
【００２９】
上記の構成によれば、上記発光ダイオード駆動回路は、上記コントローラの電源電圧を上記入力バッファ部に供給するための電源端子をさらに備えることのみで、換言すれば、大規模な回路を追加することなく、高精度な光信号の伝送が行える。これにより、上記発光ダイオード駆動回路は、上記効果に加えて、小型化に有利であるという効果も奏する。
【００３０】
本発明に係る発光ダイオード駆動回路は、モノリシック集積回路で構成されていることが好ましい。これにより、上記発光ダイオード駆動回路は、小型化、省スペース化に有利であるという効果を奏する。
【００３１】
本発明に係る光送信デバイスは、上記発光ダイオード駆動回路を備えていることを特徴としている。
【００３２】
上記の構成によれば、本発明に係る光送信デバイスは、上記発光ダイオード駆動回路を備えている。従って、上記光送信デバイスは、大規模な回路を追加することなく、高精度な光信号の伝送が行える。これにより、光送信デバイスの電源電圧またはコントローラの電源電圧、あるいはその双方の電源電圧が変動した場合でも、高精度な光信号の伝送が行える光送信デバイスを実現できるという効果を奏する。
【００３３】
本発明に係る光伝送装置は、上記光送信デバイスを備えていることを特徴としている。
【００３４】
上記の構成によれば、本発明に係る光伝送装置は、上記光送信デバイスを備えている。従って、上記光伝送装置は、大規模な回路を追加することなく、高精度な光信号の伝送が行える。これにより、光送信デバイスの電源電圧またはコントローラの電源電圧、あるいはその双方の電源電圧が変動した場合でも、高精度な光信号の伝送が行える光伝送装置を実現できるという効果を奏する。
【発明の効果】
【００３５】
本発明に係る発光ダイオード駆動回路は、外部のコントローラから与えられる上記電気信号を入力スレッシュ電圧に基づいてハイとローとの２レベルからなる電気信号に変換する入力バッファ部と、上記入力バッファ部の出力信号により発光ダイオードを駆動し、上記電気信号に基づく光信号を生成する駆動回路部とを備え、上記入力バッファ部の電源電圧は、上記コントローラの電源電圧と共通であることを特徴としている。これにより、光送信デバイスの電源電圧またはコントローラの電源電圧、あるいはその双方の電源電圧が変動した場合でも、高精度な光信号の伝送が行える発光ダイオード駆動回路を実現できるという効果を奏する。
【発明を実施するための最良の形態】
【００３６】
本発明に係る実施形態について、図１および図２に基づいて説明すると以下の通りである。
【００３７】
図１は、本実施形態に係る光ファイバリンク用光送信デバイス１（以下、単に、光送信デバイス１と記載）の構成例、および該光送信デバイス１と、光送信デバイス１へ電気信号を供給するコントローラＩＣ１０（コントローラ）との接続例を示している。
【００３８】
なお、コントローラＩＣ１０の構成は、従来のコントローラＩＣ１１０と同一である。また、端子Ｖｃｃ＿ｃｔは、コントローラＩＣ１０の電源端子であり、端子ＧＮＤ＿ｃｔは、コントローラＩＣ１０のＧＮＤ端子であり、端子Ｖｏｕｔ＿ｃｔは、コントローラＩＣ１０の出力端子である。
【００３９】
光送信デバイス１は、発光ダイオード２と、該発光ダイオード２を駆動する発光ダイオード駆動回路３とを備えている。端子Ｖｃｃ＿ｏｒは、光送信デバイス１の電源端子であり、端子ＧＮＤ＿ｏｒは、光送信デバイス１のＧＮＤ端子であり、端子Ｖｉｎは、光送信デバイス１の入力端子である。ＧＮＤ端子ＧＮＤ＿ｏｒは、コントローラＩＣ１０のＧＮＤ端子ＧＮＤ＿ｃｔに、入力端子Ｖｉｎは、コントローラＩＣ１０の出力端子Ｖｏｕｔ＿ｃｔにそれぞれ接続されている。また、端子Ｖｃｃ＿ｅｘは、入力バッファ部４の電源端子であり、該電源端子Ｖｃｃ＿ｅｘは、コントローラＩＣ１０の電源端子Ｖｃｃ＿ｃｔに接続されている。
【００４０】
発光ダイオード駆動回路３は、コントローラＩＣ１０より与えられる電気信号を入力スレッシュ電圧に基づいてハイとローとの２レベルからなる電気信号に変換する（コントローラＩＣ１０より与えられる電気信号の波形整形を行う）入力バッファ部４と、該入力バッファ部４の出力信号（上記２レベルの電気信号）に基づいて発光ダイオード２を駆動し、コントローラＩＣ１０より与えられた電気信号に基づく光信号を生成する駆動回路部５とを備えている。
【００４１】
コントローラＩＣ１０から光送信デバイス１に入力された電気信号は、発光ダイオード駆動回路３における入力バッファ部４で波形整形され、その後駆動回路部５に入力され、発光ダイオード２を駆動することとなる。
【００４２】
図２は、入力バッファ部４の具体的な構成例を示している。
【００４３】
入力バッファ部４は、図示のように、ゲート回路の機能を有する、Ｐチャンネル型ＭＯＳトランジスタＱＰ１（以下、単に、ＰＭＯＳトランジスタＱＰ１と記載）とＮチャンネル型ＭＯＳトランジスＱＮ１（以下、単に、ＮＭＯＳトランジスＱＮ１と記載）とから構成されるインバータ６を有している。
【００４４】
ＰＭＯＳトランジスタＱＰ１のソースは電源端子Ｖｃｃ＿ｅｘに接続され、ＮＭＯＳトランジスタＱＮ１のソースはＧＮＤ端子ＧＮＤ＿ｏｒに接続されている。ＰＭＯＳトランジスタＱＰ１およびＮＭＯＳトランジスタＱＮ１の各ゲートは互いに接続され、共通に光送信デバイス１の入力端子Ｖｉｎに接続されている。また、ＰＭＯＳトランジスタＱＰ１およびＮＭＯＳトランジスタＱＮ１の各ドレインは互いに接続され、共通に駆動回路部５へと接続されている。また、入力スレッシュ電圧は、ＰＭＯＳトランジスタＱＰ１のゲート幅をＬ／Ｗ＝０．８μｍ／１０μｍ、ＮＭＯＳトランジスタＱＮ１のゲート幅をＬ／Ｗ＝０．８μｍ／６μｍとし、電源端子Ｖｃｃ＿ｅｘを介して供給される電源電圧の１／２の電圧としている。
【００４５】
上述のように、本実施形態では、入力バッファ部４の電源端子Ｖｃｃ＿ｅｘが、コントローラＩＣ１０の電源端子Ｖｃｃ＿ｃｔに接続され、入力バッファ部４とコントローラＩＣ１０とで電源を共用している。これにより、例えば、コントローラＩＣ１０の電源電圧が変動した場合、またはコントローラＩＣ１０の電源電圧と光送信デバイス１の電源電圧Ｖｃｃとが変動した場合、コントローラＩＣ１０から出力される電気信号の変動と、入力バッファ部４の入力スレッシュ電圧の変動とが連動するため、入力バッファ部４の入力スレッシュ電圧とコントローラＩＣ１０から供給される電気信号の振幅電圧の５０％の電圧値（パルス幅を規定する電圧値）とが一致し、入力バッファ部４の出力信号にパルス幅歪が生じない。
【００４６】
また、コントローラＩＣ１０の電源電圧が正常で、光送信デバイス１の電源電圧Ｖｃｃが変動した場合、変動しない電源電圧により入力バッファ部４の入力スレッシュ電圧が生成されるため、入力バッファ部４の入力スレッシュ電圧とコントローラＩＣ１０から供給される電気信号の振幅電圧の５０％の電圧値（パルス幅を規定する電圧値）とが一致し、入力バッファ部４の出力信号にパルス幅歪が生じない。
【００４７】
駆動回路部５は、上記のようなパルス幅歪が生じない、入力バッファ部４の出力信号に基づいて光信号を生成する。より詳細には、駆動回路部５には光送信デバイス１の電源電圧Ｖｃｃが与えられるため、光送信デバイス１の電源電圧Ｖｃｃが変動した場合、駆動回路部５の入力スレッシュ電圧は変動する。しかしながら、入力バッファ部４の出力信号は、適切に波形整形されているため、その立上り時間および立下り時間が十分小さく、駆動回路部５の入力スレッシュ電圧の変動が影響せず、光信号は劣化しない。以上のことから、本実施形態の構成を、電源電圧が変動しやすい車載用として用いれば、極めて有効である。
【００４８】
また、上述のように、本実施形態では、光送信デバイス１の電源端子Ｖｃｃ＿ｏｒとは別に、入力バッファ部４用の電源端子Ｖｃｃ＿ｅｘを設けることのみで、つまり、大規模な回路を追加することなく、高精度な光信号の伝送が行える。従って、発光ダイオード駆動回路３の小型化に有利である。当然、光送信デバイス１、該光送信デバイス１を備えた光伝送装置の小型化にも有利である。なお、上記光伝送装置は、光送信デバイス１およびコントローラＩＣ１０からなり、例えば、自動車のダッシュボード部に搭載されるＤＶＤプレーヤの映像を後部座席の表示装置に伝送する装置等が挙げられる。
【００４９】
また、本実施形態で示した構成を、モノリシック集積回路で構成することにより、小型化、省スペース化に有利である。
【００５０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５１】
車載用光ファイバリンクに好適に用いることができる。
【図面の簡単な説明】
【００５２】
【図１】本発明の実施形態を示すものであり、光送信デバイスの構成例、および該光送信デバイスとコントローラとの接続例を示す図である。
【図２】上記光送信デバイスに備えられる入力バッファ部の構成例を示す回路図である。
【図３】従来技術を示すものであり、光送信デバイスの構成例、および該光送信デバイスとコントローラとの接続例を示す図である。
【図４】上記従来の光送信デバイスに備えられる入力バッファ部の構成例を示す回路図である。
【図５】上記従来のコントローラから供給される電気信号と上記従来の入力バッファ部の入力スレッシュ電圧との関係を示す図である。
【図６】上記従来の光送信デバイスの入力信号波形と上記従来の入力バッファ部の入力スレッシュ電圧との関係を示す図である。
【符号の説明】
【００５３】
１、１０１    光送信デバイス（光ファイバリンク用光送信デバイス）
２、１０２    発光ダイオード
３、１０３    発光ダイオード駆動回路
４、１０４    入力バッファ部
５、１０５    駆動回路部
１０、１１０  コントローラＩＣ（コントローラ）
Ｖｃｃ＿ｏｒ  光送信デバイスの電源端子
Ｖｃｃ＿ｅｘ  入力バッファ部の電源端子
【図１】
2008011089.tif 000004
【図２】
2008011089.tif 000005
【図３】
2008011089.tif 000006
【図４】
2008011089.tif 000007
【図５】
2008011089.tif 000008
【図６】
2008011089.tif 000009